【手続補正書】
【提出日】平成22年3月3日(2010.3.3)
【手続補正１】
【補正対象書類名】特許請求の範囲
【補正対象項目名】全文
【補正方法】変更
【補正の内容】
【特許請求の範囲】
【請求項１】
枚葉紙の第１の面を印刷するために相前後して配置された第１の列の印刷ユニット（７ａ−７ｄ）と、その後に続く反転装置（４）と、その後に続く、他方の枚葉紙面を印刷するために相前後して配置された第２の列の印刷ユニット（８ａ−８ｄ）と、その後に続く１つまたは複数の塗工ユニット（９ａ，９ｂ，２９ａ，２９ｂ）とを備える、特に枚葉紙に両面多色刷りをするための枚葉紙オフセット印刷機において、
同じ型式の少なくとも２つの塗工ユニット（９ａ，９ｂ；１８ａ，１８ｂ）が最後の印刷ユニット（８ｄ）の後に続いており、前記塗工ユニットまたはその塗工ブランケット胴（１７ａ，１７ｂ）は通過する枚葉紙の表面と裏面が塗工されるように配置されており、前記塗工ユニットまたはその塗工ブランケット胴のうちの１つは枚葉紙搬送経路の下側に配置されており、少なくとも２つの赤外乾燥機または熱風乾燥機（１０ａ，１０ｂ；１１ａ−１１ｈ；１１２／１１３；２１２，２１３；２１ａ，２１ｂ；４２１ａ，４２１ｂ）が設けられており、そのうち同じく少なくとも１つは前記枚葉紙搬送経路の下側に配置されていることを特徴とする枚葉紙オフセット印刷機。
【請求項２】
前記枚葉紙搬送経路において前記最後の印刷ユニット（８ｄ）の後に２つの枚葉紙搬送胴（１０９ａ，１０９ｂ）が設けられており、両方の枚葉紙搬送胴（１０９ａ，１０９ｂ）の各々に独自の塗工ユニットが付属しており、両方の塗工ユニット（９ａ，９ｂ）の塗工ブランケット胴（１７ａ，１７ｂ）は前記枚葉紙搬送経路の上側と下側にそれぞれ配置されている、請求項１に記載の印刷機。
【請求項３】
前記両方の枚葉紙搬送胴（１０９ａ，１０９ｂ）に付属する塗工ユニットのうち少なくとも１つは取外し可能な差込塗工ユニット（１８ａ，１８ｂ）として構成されている、請求項２に記載の印刷機。
【請求項４】
前記印刷機の連続する２つの枚葉紙搬送胴（１２５，１２８）を結んだ線は水平線に対して角度＞３０°で傾いている、請求項１に記載の印刷機。
【請求項５】
前記塗工ユニットに付属する前記枚葉紙搬送胴（１０９ａ，１０９ｂ）の後に別の枚葉紙搬送胴が続いており、前記別の枚葉紙搬送胴のうち第２の枚葉紙搬送胴（１１０ａ，１２０；１２５）には乾燥ユニット（１０ａ，１０ｂ）が付属している、請求項２に記載の印刷機。
【請求項６】
前記塗工ユニット（９ａ，９ｂ）に付属する前記両方の枚葉紙搬送胴（１０９ａ，１０９ｂ）は直接連続している（図２）、請求項２に記載の印刷機。
【請求項７】
前記両方の塗工ユニット（２９ａ，２９ｂ）の前記両方の枚葉紙搬送胴（１０９ａ，１０９ｂ）の間に乾燥ユニット（１０ａ）が配置されている、請求項２に記載の印刷機。
【請求項８】
ちょうど２つの枚葉紙搬送胴もしくは渡し胴（１０６，１１０ａ）が、連続する前記塗工ユニット（２９ａ，２９ｂ）の各塗工圧胴の間に配置されている、請求項７に記載の印刷機。
【請求項９】
前記両方の枚葉紙搬送胴（１０６，１１０ａ）の少なくとも一方（１１０ａ）に乾燥ユニット（１０ａ）が付属している、請求項８に記載の印刷機。
【請求項１０】
前記両方の枚葉紙搬送胴のうち一方は渡し胴である、請求項８に記載の印刷機。
【請求項１１】
前記塗工ユニットのうち少なくとも２つは、その塗工ブランケット胴（２０８，２１８；３０９ａ，３０９ｂ，４０９ａ，４０９ｂ）が、両面に塗工されるべき枚葉紙が通って案内される間隙（２２１，４２２）を形成するように配置されている、請求項１に記載の印刷機。
【請求項１２】
前記両方の塗工ブランケット胴のうち一方（２０８）は、塗工されるべき枚葉紙を搬送するためのくわえづめ（２１８ａ，２１８ｂ）を有している、請求項１１に記載の印刷機。
【請求項１３】
両面に塗工されるべき枚葉紙はくわえづめブリッジ（３１６；４１６ａ−４１６ｃ）によって前記両方の塗工ブランケット胴（３０９ａ，３０９ｂ；４０９ａ，４０９ｂ）の間の前記間隙（４２２）を通って移動／搬送される、請求項１１に記載の印刷機。
【請求項１４】
前記くわえづめブリッジ上のくわえづめは枚葉紙を両方の側方の縁部でつかむ、請求項１３に記載の印刷機。
【請求項１５】
前記くわえづめブリッジ（３１６；４１６ａ−４１６ｃ）上のくわえづめは枚葉紙をその前端で保持して前記両方の塗工ブランケット胴（３０９ａ，３０９ｂ；４０９ａ，４０９ｂ）の間の前記間隙を通るように運び、一方または両方の前記塗工ブランケット胴は前記くわえづめもしくは前記くわえづめブリッジ（３１６；４１６ａ−４１６ｃ）が入り込む軸方向の溝を備えている、請求項１３に記載の印刷機。
【請求項１６】
前記塗工ブランケット胴の間の前記間隙を通って運ばれる枚葉紙をその前端と後端で把持するくわえづめブリッジを備える複数組のくわえ棒が設けられている、請求項１５に記載の印刷機。
【請求項１７】
前記くわえづめブリッジ（４１６ａ−４１６ｃ）は、前記印刷ユニット（７ａ−７ｄ，８ａ−８ｄ）の版胴と比較して数倍の大きさの直径をもつ枚葉紙搬送胴（４２５）の一部であり、該枚葉紙搬送胴は枚葉紙面の領域で開いており、前記塗工ユニットの前記塗工ブランケット胴（４０９ｂ）と前記スクリーンローラ（４１９ｂ）とチャンバ型ドクター（４２０ｂ）とが前記枚葉紙搬送胴（４２５）の内部に配置されている、請求項１３に記載の印刷機。
【請求項１８】
前記の数倍の大きさの枚葉紙搬送胴（４２５）に損紙の容器（４２６）が付属している、請求項１７に記載の印刷機。
【請求項１９】
前記の数倍の大きさの枚葉紙搬送胴（４２５）に乾燥機（４２１ａ，４２１ｂ）が付属している、請求項１７に記載の印刷機。
【請求項２０】
前記の数倍の大きさの枚葉紙搬送胴（４２５）に、一部は前記枚葉紙搬送胴（４２５）の内部、一部は前記枚葉紙搬送胴（４２５）の外部に配置された乾燥機が付属している、請求項１９に記載の印刷機。
【請求項２１】
前記塗工ブランケット胴（３０９ａ，３０９ｂ；４０９ａ，４０９ｂ）上に取り付けられた塗工ブランケットは管状のスリーブであり、または該管状のスリーブに張り渡されている、請求項１３から２０までのいずれか１項に記載の印刷機。
【請求項２２】
前記両方の塗工ブランケット胴（３０９ａ，３０９ｂ；４０９ａ，４０９ｂ）の間隔は、厚さの異なる前記スリーブを取り付けるために調節可能もしくは調整可能である、請求項２１に記載の印刷機。
【請求項２３】
枚葉紙進行方向に見て最後の塗工ユニットの後に、両面が塗工された枚葉紙の両面を乾かすための赤外乾燥機および／または熱風乾燥機（１１ａ−１１ｈ，２１ａ，２１ｂ；１１２，１１３，２１２，２１３）が配置されている、請求項１から２２までのいずれか１項に記載の印刷機。
【請求項２４】
前記塗工ユニットの少なくとも１つ（３９ａ）に、枚葉紙を搬送する枚葉紙搬送胴（１１１，２２０，４２５）の内部に配置された乾燥機（１１３，２１３，４２１ｂ）が付属している、請求項１から２３までのいずれか１項に記載の印刷機。
【請求項２５】
前記塗工ユニットの１つまたは複数は、水をベースとする塗料もしくは分散性塗料を塗布するように構成されている、請求項１から２４までのいずれか１項に記載の印刷機。
【請求項２６】
前記塗工ユニットの２つまたは３つ以上（９ａ，９ｂ）は、チャンバ型ドクター（２０ａ，２０ｂ）を備えるスクリーンローラ（１９ａ，１９ｂ）を有している、請求項１から２５までのいずれか１項に記載の印刷機。
【請求項２７】
前記両方の塗工ユニットは呼出しローラの型式である、請求項１から２５までのいずれか１項に記載の印刷機。
【請求項２８】
前記スリーブは溝なしに構成されている、請求項１４および２１に記載の印刷機。
【請求項２９】
前記スリーブは溝を備えている、請求項１５または２１に記載の印刷機。
【請求項３０】
枚葉紙、特にシート状の用紙に両面多色刷りをする方法であって、
ａ）積み重ねられた枚葉紙を、相前後して配置された複数の印刷ユニット（７ａ−７ｄ）へ１枚ずつ供給し、枚葉紙の表面に印刷を行うステップと、
ｂ）こうして印刷された枚葉紙を反転し、相前後して配置された別の列の印刷ユニット（８ａ−８ｄ）でその裏面に多色刷りするステップと、
ｃ）枚葉紙の印刷された表面および／または裏面に枚葉紙搬送経路の上側および下側に配置された同じ型式の塗工ユニットによって１つまたは複数の塗工層を与え、前記枚葉紙搬送経路の上側と下側に配置された乾燥機によって赤外放射および／または熱風で乾かすステップと、
ｄ）両面が印刷および塗工された枚葉紙をパイル（６）の上に排紙し、もしくは仕上処理するステップと、
を有する、両面多色刷りをする方法。
【請求項３１】
枚葉紙の最初に塗工された面が乾いてから、前記枚葉紙の第２の面に塗工する、請求項３０に記載の方法。
【請求項３２】
枚葉紙の両面を塗工した後に枚葉紙の両面を乾かす、請求項３０または３１に記載の方法。
【請求項３３】
前記の乾かすステップにおいて、枚葉紙搬送胴（１１１，２１１，４２５）の方に凹面状に向いている枚葉紙の面に放射および／または熱風が作用する、請求項３０から３２までのいずれか１項に記載の方法。
【請求項３４】
前記の乾かすステップにおいて、枚葉紙搬送胴と反対の方に凸面状に向いている枚葉紙の面に、前記枚葉紙搬送経路の下側に配置された乾燥機によって放射および／または熱風が作用する、請求項３０から３２までのいずれか１項に記載の方法。
【請求項３５】
まず、枚葉紙の印刷されている表面を塗工し、次いで枚葉紙の裏面を塗工する、請求項３０から３４までのいずれか１項に記載の方法。
【請求項３６】
前記最後の印刷ユニット（８ｄ）の圧胴（１０８ａ）の後に第１の塗工ユニット（９ｂ）の圧胴（１０９ｂ）が続いている、請求項１から１０までのいずれか１項に記載の印刷機。
【請求項３７】
前記第１の塗工ユニット（９ｂ）の塗工ブランケット胴（１７ｂ）は前記枚葉紙搬送経路よりも下側に配置されている、請求項３０に記載の印刷機。